(57)【特許請求の範囲】
【請求項１】
蓄電池を充電する機能と前記蓄電池に放電させる機能とを有する充放電器と、
系統電源から供給される交流電力を前記充放電器に供給する機能を有する切替開閉器と、
前記系統電源から前記切替開閉器に流れる電流を検出する電流検出器とを備え、
前記充放電器は、
前記切替開閉器から供給される交流電力を受け取るための系統連系端子と、
前記系統連系端子を介して前記切替開閉器から供給される交流電力を直流電力に変換する機能と前記蓄電池から供給される直流電力を交流電力に変換する機能とを有する電力変換部と、
前記電力変換部によって得られる交流電力を前記切替開閉器に供給するための自立出力端子と、
前記系統連系端子と前記電力変換部とを接続するための系統リレーと、
前記電力変換部と前記自立出力端子とを接続するための自立リレーと、
前記電力変換部を制御すると共に前記電流検出器によって得られる検出結果をもとに前記系統リレー及び前記自立リレーを制御する充放電器側制御部とを有し、
前記切替開閉器は、
前記系統電源から供給される交流電力を受け取るための系統入力端子と、
交流電力をもとに動作する負荷が接続される配線によって前記系統連系端子と接続されて交流電力を出力するための電力出力端子と、
前記充放電器から供給される交流電力を受け取るための自立入力端子と、
前記系統入力端子と前記電力出力端子とを接続するための第１切替リレーと、
前記自立入力端子と前記電力出力端子とを接続するための第２切替リレーと、
前記電流検出器によって得られる検出結果をもとに前記第１切替リレーを制御する第１リレー制御部と、
前記自立入力端子が前記充放電器から交流電力を受け取らない場合に前記第２切替リレーをオフの状態にして前記自立入力端子が前記充放電器から交流電力を受け取る場合に前記第２切替リレーをオンの状態にする第２リレー制御部とを有し、
前記電流検出器が電流を検出する場合、前記充放電器側制御部は、前記系統リレーをオンの状態にし、前記自立リレーをオフの状態にし、前記第１リレー制御部は、前記第１切替リレーをオンの状態にし、
前記電流検出器が電流を検出する状態から前記電流検出器が電流を検出しない状態に変化した場合、前記充放電器側制御部は、前記系統リレーをオンの状態からオフの状態に変化させ、前記自立リレーをオフの状態からオンの状態に変化させ、前記第１リレー制御部は、前記第１切替リレーをオンの状態からオフの状態に変化させる
ことを特徴とする充放電システム。
【請求項２】
前記充放電器側制御部は、前記系統電源が停電した後に復電した場合、前記蓄電池から前記充放電器に供給される直流電力をもとに得られる交流電力が前記切替開閉器に供給されることが停止するまで、前記自立リレーをオンの状態に維持させる
ことを特徴とする請求項１に記載の充放電システム。
【請求項３】
前記切替開閉器は、前記第２切替リレーと連動する第２補助リレーを更に有し、
前記充放電器は、前記第２補助リレーの状態を検出する第２補助リレー検出部を更に有し、
前記電流検出器が電流を検出する状態から前記電流検出器が電流を検出しない状態に変化した場合、前記充放電器側制御部は、前記第２補助リレー検出部によって得られる検出結果をもとに、前記系統リレー及び前記自立リレーを制御する
ことを特徴とする請求項１又は２に記載の充放電システム。
【請求項４】
前記切替開閉器は、前記第１切替リレーと連動する第１補助リレーを更に有し、
前記充放電器は、前記第１補助リレーの状態を検出する第１補助リレー検出部を更に有し、
前記電流検出器が電流を検出しない状態から前記電流検出器が電流を検出する状態に変化した場合、前記充放電器側制御部は、前記第１補助リレー検出部によって得られる検出結果をもとに、前記系統リレー及び前記自立リレーを制御する
ことを特徴とする請求項３に記載の充放電システム。
【請求項５】
前記切替開閉器は、前記充放電器の内部に配置されている
ことを特徴とする請求項１から４のいずれか１項に記載の充放電システム。
【請求項６】
前記電流検出器は、前記切替開閉器の内部に配置されている
ことを特徴とする請求項１から５のいずれか１項に記載の充放電システム。
【発明の詳細な説明】
【技術分野】
【０００１】
本開示は、蓄電池を充電する機能と蓄電池に放電させる機能とを有する充放電システムに関する。
【背景技術】
【０００２】
従来、蓄電池を充電する機能と蓄電池に放電させる機能とを有するパワーコンディショナが提案されている（例えば、特許文献１参照）。パワーコンディショナには、一般家庭負荷は接続されておらず、一般家庭負荷と別の自立負荷が接続されている。一般家庭負荷及び自立負荷はいずれも、交流電力をもとに動作する装置である。交流電力が、系統電源からパワーコンディショナ及び一般家庭負荷に供給される。系統電源において異常が発生しなければ、一般家庭負荷及び自立負荷には、系統電源からの交流電力が供給される。
【先行技術文献】
【特許文献】
【０００３】
【特許文献１】特開２０１８−８５８５５号公報
【発明の概要】
【発明が解決しようとする課題】
【０００４】
従来の技術では、一般家庭負荷はパワーコンディショナに接続されていないので、系統電源において停電が発生すると、一般家庭負荷には電力は供給されない。自立負荷はパワーコンディショナに接続されていて、パワーコンディショナは蓄電池に接続されて蓄電池に放電させる機能を有している。そのため、系統電源において停電が発生しても、蓄電池に蓄積されている電力がパワーコンディショナを介して自立負荷に供給される。つまり、従来の技術では、系統電源において停電が発生すると、電力は、自立負荷にしか供給されず、一般家庭負荷には供給されない。すなわち、従来の技術では、系統電源において停電が発生した場合に電力が供給される負荷と電力が供給されない負荷とが区別される。【０００５】
本開示は、上記に鑑みてなされたものであって、系統電源において停電が発生した場合、電力が供給される負荷と電力が供給されない負荷とを区別することなく、停電が発生する前に電力が供給されていた負荷に電力を供給することを可能とする充放電システムを得ることを目的とする。
【課題を解決するための手段】
【０００６】
上述した課題を解決し、目的を達成するために、本開示に係る充放電システムは、蓄電池を充電する機能と蓄電池に放電させる機能とを有する充放電器と、系統電源から供給される交流電力を充放電器に供給する機能を有する切替開閉器と、系統電源から切替開閉器に流れる電流を検出する電流検出器とを有する。充放電器は、切替開閉器から供給される交流電力を受け取るための系統連系端子と、系統連系端子を介して切替開閉器から供給される交流電力を直流電力に変換する機能と蓄電池から供給される直流電力を交流電力に変換する機能とを有する電力変換部と、電力変換部によって得られる交流電力を切替開閉器に供給するための自立出力端子と、系統連系端子と電力変換部とを接続するための系統リレーと、電力変換部と自立出力端子とを接続するための自立リレーと、電力変換部を制御すると共に電流検出器によって得られる検出結果をもとに系統リレー及び自立リレーを制御する充放電器側制御部とを有する。切替開閉器は、系統電源から供給される交流電力を受け取るための系統入力端子と、交流電力をもとに動作する負荷が接続される配線によって系統連系端子と接続されて交流電力を出力するための電力出力端子と、充放電器から供給される交流電力を受け取るための自立入力端子と、系統入力端子と電力出力端子とを接続するための第１切替リレーと、自立入力端子と電力出力端子とを接続するための第２切替リレーと、電流検出器によって得られる検出結果をもとに第１切替リレーを制御する第１リレー制御部と、自立入力端子が充放電器から交流電力を受け取らない場合に第２切替リレーをオフの状態にして自立入力端子が充放電器から交流電力を受け取る場合に第２切替リレーをオンの状態にする第２リレー制御部とを有する。電流検出器が電流を検出する場合、充放電器側制御部は、系統リレーをオンの状態にし、自立リレーをオフの状態にし、第１リレー制御部は、第１切替リレーをオンの状態にする。電流検出器が電流を検出する状態から電流検出器が電流を検出しない状態に変化した場合、充放電器側制御部は、系統リレーをオンの状態からオフの状態に変化させ、自立リレーをオフの状態からオンの状態に変化させ、第１リレー制御部は、第１切替リレーをオンの状態からオフの状態に変化させる。
【発明の効果】
【０００７】
本開示に係る充放電システムによれば、系統電源において停電が発生した場合、電力が供給される負荷と電力が供給されない負荷とを区別することなく、停電が発生する前に電力が供給されていた負荷に電力を供給することができるという効果を奏する。
【図面の簡単な説明】
【０００８】
【図１】実施の形態１にかかる充放電システムの構成を示す図
【図２】通常の状態で系統電源において停電が発生し、その後に系統電源の状態が通常の状態に戻る場合の時間の経過と共に変化する実施の形態１にかかる充放電システムの動作の変化の概略を示す図
【図３】移行期間での実施の形態１にかかる充放電システムの系統リレー、自立リレー、第１切替リレー及び第２切替リレーの各々の状態を説明するための図
【図４】実施の形態１にかかる充放電システムが自立運転を行う場合の系統リレー、自立リレー、第１切替リレー及び第２切替リレーの各々の状態を説明するための図
【図５】実施の形態１にかかる充放電システムの動作の手順の例を示すフローチャート
【図６】実施の形態１の第１の変形例にかかる充放電システムの構成を示す図
【図７】実施の形態１の第２の変形例にかかる充放電システムの構成を示す図
【図８】実施の形態１の第３の変形例にかかる充放電システムの構成を示す図
【図９】実施の形態２にかかる充放電システムの構成を示す図
【図１０】実施の形態２にかかる充放電システムの動作の手順の例を示すフローチャート
【図１１】実施の形態２の変形例にかかる充放電システムの構成を示す図
【図１２】実施の形態３にかかる充放電システムの構成を示す図
【図１３】実施の形態３にかかる充放電システムの動作の手順の例を示すフローチャート
【図１４】実施の形態３の変形例にかかる充放電システムの構成を示す図
【図１５】実施の形態１にかかる充放電システムの充放電器が有する充放電器側制御部の一部又は全部がプロセッサによって実現される場合のプロセッサを示す図
【図１６】実施の形態１にかかる充放電システムの充放電器が有する充放電器側制御部の一部又は全部が処理回路によって実現される場合の処理回路を示す図
【発明を実施するための形態】
【０００９】
以下に、実施の形態にかかる充放電システムを図面に基づいて詳細に説明する。なお、この実施の形態によりこの開示が限定されるものではない。
【００１０】
実施の形態１．
まず、実施の形態１にかかる充放電システム１の構成を説明する。図１は、実施の形態１にかかる充放電システム１の構成を示す図である。充放電システム１は、蓄電池５１を充電する機能と蓄電池５１に放電させる機能とを有する。実施の形態１では、蓄電池５１は電気自動車５０に搭載されている。図１には、電気自動車５０及び蓄電池５１も示されている。蓄電池５１は、電気自動車５０に搭載されていなくてもよい。
【００１１】
充放電システム１は、蓄電池５１を充電する機能と蓄電池５１に放電させる機能とを有する充放電器２と、系統電源５２から供給される交流電力を充放電器２に供給する機能を有する切替開閉器３とを有する。図１には、系統電源５２も示されている。充放電システム１は、系統電源５２から切替開閉器３に流れる電流を検出する電流検出器４を更に有する。実施の形態１では、電流検出器４は、切替開閉器３の内部に配置されている。例えば、電流検出器４は、励磁コイルを有する装置であって、当該励磁コイルに流れる電流の量を検出する。
【００１２】
充放電器２は、切替開閉器３から供給される交流電力を受け取るための系統連系端子２１と、系統連系端子２１を介して切替開閉器３から供給される交流電力を直流電力に変換する機能を有する電力変換部２２とを有する。電力変換部２２は、蓄電池５１から供給される直流電力を交流電力に変換する機能も有する。電力変換部２２は、直流電圧について昇圧する機能と降圧する機能とを有するコンバータ２３と、交流電力を直流電力に変換する機能と直流電力を交流電力に変換する機能とを有するインバータ２４とを有する。
【００１３】
充放電器２は、電力変換部２２によって得られる交流電力を切替開閉器３に供給するための自立出力端子２５と、系統連系端子２１と電力変換部２２とを接続するための系統リレー２６と、電力変換部２２と自立出力端子２５とを接続するための自立リレー２７とを更に有する。具体的には、系統リレー２６の一方の端部は系統連系端子２１に接続されており、系統リレー２６の他方の端部は電力変換部２２が有するインバータ２４に接続されている。自立リレー２７の一方の端部は自立出力端子２５に接続されており、自立リレー２７の他方の端部はインバータ２４に接続されている。
【００１４】
図１では、系統リレー２６はオンの状態で示されており、自立リレー２７はオフの状態で示されている。系統リレー２６は、オンの状態において系統連系端子２１と電力変換部２２とを接続し、オフの状態において系統連系端子２１と電力変換部２２とを接続しない。自立リレー２７は、オンの状態において電力変換部２２と自立出力端子２５とを接続し、オフの状態において電力変換部２２と自立出力端子２５とを接続しない。
【００１５】
充放電器２は、電力変換部２２を制御すると共に、電流検出器４によって得られる検出結果をもとに系統リレー２６及び自立リレー２７を制御する充放電器側制御部２８を更に有する。つまり、電流検出器４は検出結果を充放電器側制御部２８に出力し、充放電器側制御部２８は当該検出結果を受け取って当該検出結果をもとに系統リレー２６及び自立リレー２７を制御する。
【００１６】
充放電システム１のユーザは、系統連系運転により充放電システム１を動作させるのか自立運転により充放電システム１を動作させるのかを決定し、決定に対応する指示を表示器５３に入力する。図１には、表示器５３も示されている。表示器５３は、情報を表示する機能と、指示を受け付ける機能とを有する。例えば、表示器５３は、タッチパネルによって実現される。
【００１７】
系統連系運転は、充放電システム１が系統電源５２から切替開閉器３に供給される電力を負荷５４及び蓄電池５１に供給する運転である。図１には、負荷５４も示されている。負荷５４は、交流電力をもとに動作する機器である。例えば、負荷５４は家屋に配置される。自立運転は、充放電システム１が蓄電池５１に蓄えられている電力を負荷５４に供給する運転である。例えば、自立運転は、系統電源５２において停電が発生して電力が系統電源５２から切替開閉器３に供給されない場合に行われる。
【００１８】
ユーザが系統連系運転により充放電システム１を動作させる系統連系運転指示を表示器５３に入力すると、表示器５３は系統連系運転指示を受け付ける。ユーザが自立運転により充放電システム１を動作させる自立運転指示を表示器５３に入力すると、表示器５３は自立運転指示を受け付ける。表示器５３は、受け付けた系統連系運転指示又は自立運転指示を充放電器側制御部２８に出力する。充放電器側制御部２８は、表示器５３から出力される系統連系運転指示又は自立運転指示を受け取る。
【００１９】
充放電器側制御部２８は、系統連系運転指示を受け取った場合、系統リレー２６をオンの状態にして系統連系端子２１と電力変換部２２とを接続させる制御を行うと共に、自立リレー２７をオフの状態にして電力変換部２２と自立出力端子２５とを接続させない制御を行う。加えて、充放電器側制御部２８は、系統連系運転指示を受け取った場合、電力変換部２２のインバータ２４に対し、切替開閉器３から供給される交流電力を直流電力に変換させる制御を行うと共に、電力変換部２２のコンバータ２３に対し、インバータ２４によって得られる直流電力における直流電圧について降圧させる制御を行う。充放電器２は、コンバータ２３によって得られた直流電力を蓄電池５１に供給して蓄電池５１を充電する。
【００２０】
充放電器側制御部２８は、自立運転指示を受け取った場合、系統リレー２６をオフの状態にして系統連系端子２１と電力変換部２２とを接続させない制御を行うと共に、自立リレー２７をオンの状態にして電力変換部２２と自立出力端子２５とを接続させる制御を行う。充放電器２は、蓄電池５１に放電させる。充放電器側制御部２８は、自立運転指示を受け取った場合、電力変換部２２のコンバータ２３に対し、蓄電池５１から供給される直流電力における直流電圧について降圧させる制御を行うと共に、電力変換部２２のインバータ２４に対し、コンバータ２３によって得られる直流電力を交流電力に変換させる制御を行う。つまり、充放電器側制御部２８が自立運転指示を受け取ると、充放電器２は、蓄電池５１に放電させて蓄電池５１に蓄えられていた電力をもとにする交流電力を切替開閉器３に供給する。充放電器側制御部２８が行う制御については、後にも説明する。
【００２１】
切替開閉器３は、系統電源５２から供給される交流電力を受け取るための系統入力端子３１と、配線５によって充放電器２の系統連系端子２１に接続されている電力出力端子３２とを有する。電力出力端子３２は、交流電力を出力するための端子である。配線５には、負荷５４が接続されている。
【００２２】
切替開閉器３は、配線６によって充放電器２の自立出力端子２５に接続されている自立入力端子３３を更に有する。自立入力端子３３は、充放電器２から供給される交流電力を受け取るための端子である。切替開閉器３は、系統入力端子３１と電力出力端子３２とを接続するための第１切替リレー３４と、自立入力端子３３と電力出力端子３２とを接続するための第２切替リレー３５とを更に有する。具体的には、第１切替リレー３４の一方の端部は第１内部配線３６を介して系統入力端子３１に接続されており、第１切替リレー３４の他方の端部は電力出力端子３２に接続されている。第２切替リレー３５の一方の端部は自立入力端子３３に接続されており、第２切替リレー３５の他方の端部は電力出力端子３２に接続されている。
【００２３】
図１では、第１切替リレー３４はオンの状態で示されており、第２切替リレー３５はオフの状態で示されている。第１切替リレー３４は、オンの状態において系統入力端子３１と電力出力端子３２とを接続し、オフの状態において系統入力端子３１と電力出力端子３２とを接続しない。第２切替リレー３５は、オンの状態において自立入力端子３３と電力出力端子３２とを接続し、オフの状態において自立入力端子３３と電力出力端子３２とを接続しない。
【００２４】
切替開閉器３は、電流検出器４によって得られる検出結果をもとに第１切替リレー３４を制御する第１リレー制御部３７を更に有する。つまり、電流検出器４は検出結果を第１リレー制御部３７に出力し、第１リレー制御部３７は当該検出結果を受け取って当該検出結果をもとに第１切替リレー３４を制御する。第１リレー制御部３７は、第１内部配線３６の接続部位３８に第２内部配線３９を介して接続されている。電流検出器４は、接続部位３８と第１リレー制御部３７との間に配置されている。
【００２５】
切替開閉器３は、第２切替リレー３５を制御する第２リレー制御部４０を更に有する。第２リレー制御部４０は、自立入力端子３３が充放電器２から交流電力を受け取らない場合に第２切替リレー３５をオフの状態にし、自立入力端子３３が充放電器２から交流電力を受け取る場合に第２切替リレー３５をオンの状態にする。
【００２６】
例えば、第２リレー制御部４０は、電流検出器４が系統電源５２から切替開閉器３に流れる電流を検出する状態から当該電流を検出しない状態に変化した時からあらかじめ決められた時間が経過した後に、第２切替リレー３５をオンの状態にする。あらかじめ決められた時間は、例えば実験によって決定される。上記の時からあらかじめ決められた時間が経過すると、自立入力端子３３は充放電器２から交流電力を受け取る。
【００２７】
切替開閉器３は、自立入力端子３３が充放電器２から交流電力を受け取った場合、自立入力端子３３が充放電器２から交流電力を受け取ったことを検出する自立出力検出部４１を更に有する。つまり、自立出力検出部４１は、自立運転が行われる場合、自立入力端子３３が充放電器２から交流電力を受け取ったことを検出する。第１リレー制御部３７は、自立出力検出部４１によって得られる検出結果も利用して第１切替リレー３４を制御する。
【００２８】
具体的には、第１リレー制御部３７は、自立入力端子３３が充放電器２から交流電力を受け取ったことが自立出力検出部４１によって検出された場合、第１切替リレー３４をオフの状態にする。すなわち、切替開閉器３が系統電源５２から供給される交流電力を受け取ることができる状態であっても、充放電システム１が自立運転を行う場合、第１リレー制御部３７は、第１切替リレー３４をオフの状態にする。
【００２９】
電流検出器４が電流を検出する場合、充放電器２が有する充放電器側制御部２８は系統リレー２６をオンの状態にすると共に自立リレー２７をオフの状態にし、切替開閉器３が有する第１リレー制御部３７は、第１切替リレー３４をオンの状態にする。これにより、充放電器２において系統連系端子２１と電力変換部２２とが接続されると共に、切替開閉器３において系統入力端子３１と電力出力端子３２とが接続される。
【００３０】
上述の通り、系統連系端子２１と電力出力端子３２とは配線５によって接続されており、配線５には負荷５４が接続されている。そのため、電流検出器４が電流を検出する場合、充放電システム１は、系統電源５２から切替開閉器３に供給される交流電力を負荷５４に供給することができる。実施の形態１では、系統電源５２が交流電力を切替開閉器３に供給することは、通常の状態であると定義される。つまり、系統電源５２が交流電力を充放電システム１に供給することは、通常の状態である。すなわち、通常の状態において、充放電システム１は交流電力を負荷５４へ供給することができる。
【００３１】
加えて、通常の状態において、充放電システム１は、系統電源５２から切替開閉器３に供給される交流電力をもとにする直流電力を蓄電池５１に供給することができる。すなわち、通常の状態において、充放電システム１は蓄電池５１を充電することができる。
【００３２】
電流検出器４が電流を検出する状態から電流検出器４が電流を検出しない状態に変化した場合、充放電器側制御部２８は、系統リレー２６をオンの状態からオフの状態に変化させ、自立リレー２７をオフの状態からオンの状態に変化させる。例えば、充放電器側制御部２８は、系統リレー２６がオンの状態からオフの状態に変化した後に自立リレー２７をオフの状態からオンの状態に変化させる。電流検出器４が電流を検出する状態から電流検出器４が電流を検出しない状態に変化した場合、第１リレー制御部３７は、第１切替リレー３４をオンの状態からオフの状態に変化させる。
【００３３】
これにより、充放電器２において、系統連系端子２１と電力変換部２２とが接続されない状態になり、電力変換部２２と自立出力端子２５とが接続される。加えて、切替開閉器３において、系統入力端子３１と電力出力端子３２とが接続されない状態になる。上述の通り、系統連系端子２１と電力出力端子３２とは配線５によって接続されており、配線５には負荷５４が接続されている。充放電器２の自立出力端子２５と切替開閉器３の自立入力端子３３とは、配線６によって接続されている。
【００３４】
自立運転が行われる場合、充放電器２は、蓄電池５１に放電させて蓄電池５１に蓄えられていた電力をもとにする交流電力を切替開閉器３に供給する。つまり、自立運転が行われる場合、充放電器２は交流電力を切替開閉器３に供給する。上述の通り、切替開閉器３の自立入力端子３３は、充放電器２から供給される交流電力を受け取るための端子である。第２リレー制御部４０は、自立入力端子３３が充放電器２から交流電力を受け取らない場合に第２切替リレー３５をオフの状態にし、自立入力端子３３が充放電器２から交流電力を受け取る場合に第２切替リレー３５をオンの状態にする。つまり、自立運転が行われる場合、自立入力端子３３と電力出力端子３２とが接続される。
【００３５】
電流検出器４が電流を検出しない状態は、系統電源５２において停電が発生した状態である。停電が発生すると、系統電源５２からの交流電力は切替開閉器３に供給されず、そのため、系統電源５２からの交流電力は負荷５４に供給されない。しかしながら、停電が発生しても自立運転が行われる場合、充放電器２は、蓄電池５１に放電させて蓄電池５１から供給される直流電力をもとにする交流電力を切替開閉器３に供給する。そのため、停電が発生しても自立運転が行われる場合、充放電システム１は蓄電池５１に蓄えられていた電力をもとにする交流電力を負荷５４に供給することができる。
【００３６】
次に、系統電源５２が交流電力を充放電システム１に供給する通常の状態で系統電源５２において停電が発生し、その後に系統電源５２の状態が通常の状態に戻る場合の充放電システム１の動作の概略を説明する。図２は、通常の状態で系統電源５２において停電が発生し、その後に系統電源５２の状態が通常の状態に戻る場合の時間の経過と共に変化する実施の形態１にかかる充放電システム１の動作の変化の概略を示す図である。
【００３７】
図２は、充放電システム１が通常の状態において系統連系運転を行い、停電が発生すると移行期間をおいて、充放電システム１が自立運転を行い、その後に充放電システム１が系統連系運転を行うことを示している。加えて、系統連系運転が図１と関連し、移行期間が図３と関連し、自立運転が図４と関連することを示している。図３及び図４については、後述する。
【００３８】
系統電源５２が交流電力を充放電システム１に供給する通常の状態において、系統連系運転が行われる。系統連系運転が行われる場合、系統リレー２６、自立リレー２７、第１切替リレー３４及び第２切替リレー３５の各々のオン又はオフの状態は、図１において示される通りである。すなわち、充放電システム１が系統連系運転を行う場合、系統リレー２６はオンの状態であり、自立リレー２７はオフの状態であり、第１切替リレー３４はオンの状態であり、第２切替リレー３５はオフの状態である。
【００３９】
充放電システム１が系統連系運転を行う場合、切替開閉器３において、第１切替リレー３４がオンの状態であるので、系統入力端子３１と電力出力端子３２とが接続される。電力出力端子３２には、負荷５４が接続されている配線５が接続されている。そのため、系統電源５２から切替開閉器３に供給される交流電力が負荷５４に供給される。
【００４０】
系統電源５２において停電が発生すると、充放電システム１は系統連系運転を行うことができない。充放電システム１の運転は、移行期間を挟んで系統連系運転から自立運転に移行する。図３は、移行期間での実施の形態１にかかる充放電システム１の系統リレー２６、自立リレー２７、第１切替リレー３４及び第２切替リレー３５の各々の状態を説明するための図である。移行期間では、電流検出器４は電流を検出しない。そのため、図３に示される通り、移行期間では、第１リレー制御部３７の制御によって、第１切替リレー３４はオンの状態からオフの状態に変化する。
【００４１】
移行期間では、系統リレー２６、自立リレー２７及び第２切替リレー３５の各々の状態は、系統連系運転が行われる場合の状態と同じである。すなわち、移行期間では、系統リレー２６はオンの状態であり、自立リレー２７はオフの状態であり、第２切替リレー３５はオフの状態である。移行期間では、系統電源５２において停電が発生しているので、交流電力は負荷５４に供給されない。
【００４２】
移行期間の後、充放電システム１は、自立運転指示を受け取ると、自立運転を行う。以下では、充放電システム１が自立運転指示を受け取ったことを想定する。図４は、実施の形態１にかかる充放電システム１が自立運転を行う場合の系統リレー２６、自立リレー２７、第１切替リレー３４及び第２切替リレー３５の各々の状態を説明するための図である。充放電システム１が自立運転を行う場合、電流検出器４は電流を検出しないので、図４に示される通り、第１切替リレー３４はオフの状態である。
【００４３】
充放電システム１が自立運転を行う場合、充放電器側制御部２８の制御によって、系統リレー２６はオンの状態からオフの状態に変化し、自立リレー２７はオフの状態からオンの状態に変化する。充放電システム１が自立運転を行う場合、充放電器２は、蓄電池５１に放電させて蓄電池５１に蓄えられていた電力をもとにする交流電力を切替開閉器３に供給する。切替開閉器３の自立入力端子３３は、充放電器２から供給される交流電力を受け取る。第２リレー制御部４０の制御によって、第２切替リレー３５はオフの状態からオンの状態に変化する。
【００４４】
充放電システム１が自立運転を行う場合、切替開閉器３において、第２切替リレー３５がオンの状態であるので、自立入力端子３３と電力出力端子３２とが接続される。電力出力端子３２には、負荷５４が接続されている配線５が接続されている。そのため、交流電力は負荷５４に供給される。
【００４５】
その後に系統電源５２の状態が通常の状態に戻ると、つまり系統電源５２が停電した後に復電すると、充放電システム１は系統連系運転を行う。なお、充放電器２において、充放電器側制御部２８は、系統電源５２が停電した後に復電した場合、蓄電池５１から充放電器２に供給される直流電力をもとに得られる交流電力が切替開閉器３に供給されることが停止するまで、自立リレー２７をオンの状態に維持させる。
【００４６】
次に、実施の形態１にかかる充放電システム１の動作の例を説明する。図５は、実施の形態１にかかる充放電システム１の動作の手順の例を示すフローチャートである。以下では、説明の便宜上、充放電システム１が系統連系運転を行っている状態以降の充放電システム１の動作の例を説明する。電流検出器４は、電流が系統電源５２から切替開閉器３に流れているか否かを判断する（Ｓ１）。電流が系統電源５２から切替開閉器３に流れていると電流検出器４によって判断された場合（Ｓ１でＹｅｓ）、充放電システム１は系統連系運転を行うことを継続する。図５では、充放電システム１が系統連系運転を行うことを継続する場合、充放電システム１の動作は終了すると表現されている。
【００４７】
電流が系統電源５２から切替開閉器３に流れていないと電流検出器４によって判断された場合（Ｓ１でＮｏ）、充放電器側制御部２８、第１リレー制御部３７及び第２リレー制御部４０は、停電を検知する（Ｓ２）。第１リレー制御部３７は、停電を検知した時から第１の一定時間待機した後（Ｓ３）、第１切替リレー３４をオンの状態からオフの状態に変化させる（Ｓ４）。
【００４８】
充放電器側制御部２８は、停電が発生したことを表示器５３に伝達する（Ｓ５）。具体的には、充放電器側制御部２８は、停電が発生したことを示す情報を表示器５３に出力する。表示器５３は、停電が発生したことを示す情報を表示する。その際、表示器５３は、充放電システム１に自立運転を行わせることをユーザに促す情報も表示する。例えば、表示器５３は、「停電が発生しました。自立運転を開始させてください。」という文字列を表示する。
【００４９】
ユーザは、表示器５３が表示する情報によって停電が発生したことを認識し、充放電システム１に自立運転を開始させる指示を表示器５３に入力する。例えば、充放電システム１に自立運転を開始させる指示に対応するボタンが表示器５３に設けられており、ユーザは、当該ボタンを押すことにより当該指示を表示器５３に入力する。当該ボタンは、機械的なボタンであってもよいし、表示器５３によって表示される画像のボタンであってもよい。当該指示は、自立運転指示である。表示器５３は、自立運転指示を受け付け、自立運転指示を充放電器側制御部２８に出力する。充放電器側制御部２８は、自立運転指示を受け取る（Ｓ６）。すなわち、充放電器側制御部２８は、ステップＳ６において、充放電システム１に自立運転を開始させる指示を受け取る。
【００５０】
充放電システム１は、自立運転を開始する（Ｓ７）。つまり、ステップＳ７において、充放電器側制御部２８の制御によって、電力変換部２２のコンバータ２３は蓄電池５１から供給される直流電力における直流電圧について昇圧し、電力変換部２２のインバータ２４はコンバータ２３によって得られる直流電力を交流電力に変換する。ステップＳ７の動作が行われた後、充放電器側制御部２８は、系統リレー２６をオンの状態からオフの状態に変化させ、自立リレー２７をオフの状態からオンの状態に変化させる（Ｓ８）。
【００５１】
第２リレー制御部４０は、ステップＳ８の動作が行われた時から第２の一定時間待機し（Ｓ９）、その後、第２切替リレー３５をオフの状態からオンの状態に変化させる（Ｓ１０）。つまり、ステップＳ１０において、第２切替リレー３５はオフの状態からオンの状態に変化する。
【００５２】
電流検出器４は、電流が系統電源５２から切替開閉器３に流れているか否かを判断する（Ｓ１１）。電流が系統電源５２から切替開閉器３に流れていないと電流検出器４によって判断された場合（Ｓ１１でＮｏ）、ステップＳ１１の動作が再度行われる。電流が系統電源５２から切替開閉器３に流れていると電流検出器４によって判断された場合（Ｓ１１でＹｅｓ）、充放電器側制御部２８、第１リレー制御部３７及び第２リレー制御部４０は、復電を検知する（Ｓ１２）。つまり、ステップＳ１２において、充放電器側制御部２８、第１リレー制御部３７及び第２リレー制御部４０は、停電が解消したことを検知する。
【００５３】
充放電器側制御部２８は、復電したことを表示器５３に伝達する（Ｓ１３）。具体的には、充放電器側制御部２８は、復電したことを示す情報を表示器５３に出力する。表示器５３は、復電したことを示す情報を表示する。ユーザは、表示器５３が表示する情報によって復電したことを認識し、充放電システム１に自立運転を停止させる指示を入力する。表示器５３は、当該指示を受け付け、当該指示を充放電器側制御部２８に出力する。充放電器側制御部２８は、充放電システム１に自立運転を停止させる指示を受け取る（Ｓ１４）。
【００５４】
充放電システム１は、自立運転を停止する（Ｓ１５）。すなわち、充放電器側制御部２８の制御によって、電力変換部２２のコンバータ２３及びインバータ２４はステップＳ７の動作を停止する。充放電器側制御部２８、第１リレー制御部３７及び第２リレー制御部４０は、充放電システム１が自立運転を停止した時から第３の一定時間待機する（Ｓ１６）。その後、第１リレー制御部３７は、第１切替リレー３４をオフの状態からオンの状態に変化させ、第２リレー制御部４０は第２切替リレー３５をオンの状態からオフの状態に変化させる（Ｓ１７）。
【００５５】
充放電器側制御部２８は、系統リレー２６をオフの状態からオンの状態に変化させ、自立リレー２７をオンの状態からオフの状態に変化させる（Ｓ１８）。充放電システム１は、系統連系運転を行う（Ｓ１９）。
【００５６】
上述の通り、実施の形態１にかかる充放電システム１は、蓄電池５１を充電する機能と蓄電池５１に放電させる機能とを有する充放電器２と、系統電源５２から供給される交流電力を充放電器２に供給する機能を有する切替開閉器３と、系統電源５２から切替開閉器３に流れる電流を検出する電流検出器４とを有する。
【００５７】
電流検出器４が電流を検出する場合、充放電器２において、充放電器側制御部２８は、系統リレー２６をオンの状態にすると共に自立リレー２７をオフの状態にし、切替開閉器３において、第１リレー制御部３７は、第１切替リレー３４をオンの状態にする。充放電器２の系統連系端子２１と切替開閉器３の電力出力端子３２とは、負荷５４が接続されている配線５によって接続されている。そのため、系統電源５２が交流電力を切替開閉器３に供給する通常の状態において、充放電システム１は、系統連系運転を行うことができる。つまり、通常の状態において、充放電システム１は、電力を負荷５４に供給することができる。
【００５８】
電流検出器４が電流を検出する状態から電流検出器４が電流を検出しない状態に変化した場合、充放電器側制御部２８は、系統リレー２６をオンの状態からオフの状態に変化させると共に自立リレー２７をオフの状態からオンの状態に変化させ、第１リレー制御部３７は、第１切替リレー３４をオンの状態からオフの状態に変化させる。切替開閉器３において、第２リレー制御部４０は、自立入力端子３３が充放電器２から交流電力を受け取らない場合に第２切替リレー３５をオフの状態にし、自立入力端子３３が充放電器２から交流電力を受け取る場合、第２切替リレー３５をオンの状態にする。そのため、系統電源５２において停電が発生した場合、充放電システム１は、自立運転を行うことができる。つまり、系統電源５２において停電が発生した場合、充放電システム１は、電力を負荷５４に供給することができる。
【００５９】
したがって、実施の形態１にかかる充放電システム１は、系統電源５２において停電が発生した場合、電力が供給される負荷と電力が供給されない負荷とを区別することなく、停電が発生する前に電力が供給されていた負荷５４に電力を供給することができる。
【００６０】
上述した実施の形態１では、充放電システム１は、自立運転指示を受け取った後に自立運転を行う。しかしながら、充放電システム１は、電流検出器４が電流を検出する状態から電流検出器４が電流を検出しない状態に変化した場合、自立運転指示を受け取らなくても、自立運転を行ってもよい。充放電システム１は、電流検出器４が電流を検出しない状態から電流検出器４が電流を検出する状態に変化した場合、つまり停電が発生した後に復電した場合、系統連系運転指示又は自立運転を停止させる指示を受け取らなくても、系統連系運転を行ってもよい。系統連系運転では、充放電システム１は、系統電源５２から切替開閉器３に供給される電力を負荷５４と蓄電池５１とのうちの一方にだけ供給してもよい。
【００６１】
上述した実施の形態１では、電流検出器４は、接続部位３８と第１リレー制御部３７との間に配置されている。しかしながら、電流検出器４が配置される位置は、接続部位３８と第１リレー制御部３７との間の位置に限定されない。図６は、実施の形態１の第１の変形例にかかる充放電システム１Ａの構成を示す図である。図１と図６とで相違する箇所は、電流検出器４が配置されている位置のみである。充放電システム１Ａでは、電流検出器４は、接続部位３８と系統入力端子３１との間に配置されており、第１リレー制御部３７と接続部位３８との間には第２内部配線３９しか存在しない。
【００６２】
図７は、実施の形態１の第２の変形例にかかる充放電システム１Ｂの構成を示す図である。図１と図７とで相違する箇所は、電流検出器４が配置されている位置のみである。充放電システム１Ｂでは、電流検出器４は切替開閉器３の外部に配置されている。具体的には、電流検出器４は、系統電源５２と切替開閉器３との間に配置されている。充放電システム１Ｂでは、第１リレー制御部３７と接続部位３８との間には第２内部配線３９しか存在しない。
【００６３】
図６及び図７に示されるように、電流検出器４が配置される位置は限定されない。いずれにしても、電流検出器４は、系統電源５２から切替開閉器３に流れる電流を検出する。
【００６４】
図８は、実施の形態１の第３の変形例にかかる充放電システム１Ｃの構成を示す図である。図１が示す充放電システム１では、充放電器２の筐体は切替開閉器３の筐体と異なる。図８が示す充放電システム１Ｃは、充放電器２が有するすべての構成要素と切替開閉器３とを含む充放電器２Ｃを有する。つまり、切替開閉器３は、充放電器２Ｃの内部に配置されている。このように、充放電システム１の充放電器２と切替開閉器３とはひとつの筐体の内部に配置されて一体化されてもよい。
【００６５】
同様に、図示されないが、充放電システム１Ａの充放電器２及び切替開閉器３もひとつの筐体の内部に配置されてもよいし、充放電システム１Ｂの充放電器２及び切替開閉器３もひとつの筐体の内部に配置されてもよい。更に言うと、充放電システム１Ｂの充放電器２、切替開閉器３及び電流検出器４もひとつの筐体の内部に配置されてもよい。
【００６６】
実施の形態２．
次に、実施の形態２にかかる充放電システム１Ｄを説明する。図９は、実施の形態２にかかる充放電システム１Ｄの構成を示す図である。充放電システム１Ｄは、充放電器２Ｄと、切替開閉器３Ｄとを有する。充放電器２Ｄは、実施の形態１にかかる充放電システム１の充放電器２が有するすべての構成要素と、第２補助リレー検出部２９とを有する。切替開閉器３Ｄは、充放電システム１の切替開閉器３が有するすべての構成要素と、第２補助リレー４２とを有する。実施の形態２では、実施の形態１との相違点を主に説明する。
【００６７】
切替開閉器３Ｄが有する第２補助リレー４２は、第２切替リレー３５と連動する。具体的には、第２補助リレー４２の状態は、第２切替リレー３５の状態と同じである。第２補助リレー４２の一方の端部は、配線８１によって、充放電器２Ｄのグランドに接続されている。第２補助リレー４２の他方の端部は、配線８２によって、充放電器２Ｄが有する第２補助リレー検出部２９に接続されている。配線８２は充放電器２Ｄの内部に接続部位８３を有し、抵抗８４が接続部位８３に接続されている。抵抗８４には５Ｖの電圧の電源が接続されている。当該電圧は、５Ｖに限定されない。
【００６８】
充放電器２Ｄが有する第２補助リレー検出部２９は、第２補助リレー４２の状態を検出する。具体的には、上述の通り抵抗８４が接続部位８３に接続されていて抵抗８４には５Ｖの電圧の電源が接続されているので、第２補助リレー検出部２９は、第２補助リレー４２がオフの状態である場合に相対的に高い電圧を検出し、第２補助リレー４２がオンの状態である場合に相対的に低い電圧を検出する。第２補助リレー検出部２９は、検出した電圧の値をもとに第２補助リレー４２の状態を検出する。
【００６９】
第２補助リレー検出部２９は、充放電器側制御部２８に接続されている。電流検出器４が電流を検出する状態から電流検出器４が電流を検出しない状態に変化した場合、充放電器側制御部２８は、第２補助リレー検出部２９によって得られる検出結果も用いて、系統リレー２６及び自立リレー２７を制御する。
【００７０】
上述の通り、第２補助リレー４２は第２切替リレー３５と連動し、第２補助リレー検出部２９は第２補助リレー４２の状態を検出する。そのため、充放電器側制御部２８は、第２補助リレー検出部２９によって得られる検出結果をもとに、第２切替リレー３５の状態を把握することができる。つまり、充放電器側制御部２８は、第２補助リレー検出部２９によって得られる検出結果をもとに、切替開閉器３Ｄの自立入力端子３３を介して充放電器２Ｄの自立出力端子２５と切替開閉器３Ｄの電力出力端子３２とが接続されたことを検出することができる。電力出力端子３２には、負荷５４が接続されている配線５が接続されている。
【００７１】
そのため、実施の形態２にかかる充放電システム１Ｄは、待機時間を必要とすることなく、第２補助リレー検出部２９によって得られる検出結果をもとに自立運転を行うことができる。更に言うと、実施の形態１では待機時間が設定されているのに対し、実施の形態２では待機時間は設定されていないので、系統電源５２において停電が発生した場合、充放電システム１Ｄは、実施の形態１にかかる充放電システム１より早く、電力を負荷５４に供給することができる。
【００７２】
次に、実施の形態２にかかる充放電システム１Ｄの動作の例を説明する。図１０は、実施の形態２にかかる充放電システム１Ｄの動作の手順の例を示すフローチャートである。以下では、説明の便宜上、充放電システム１Ｄが系統連系運転を行っている状態以降の充放電システム１Ｄの動作の例を説明する。電流検出器４は、電流が系統電源５２から切替開閉器３Ｄに流れているか否かを判断する（Ｓ２１）。電流が系統電源５２から切替開閉器３Ｄに流れていると電流検出器４によって判断された場合（Ｓ２１でＹｅｓ）、充放電システム１Ｄは系統連系運転を行うことを継続する。図１０では、充放電システム１Ｄが系統連系運転を行うことを継続する場合、充放電システム１Ｄの動作は終了すると表現されている。
【００７３】
電流が系統電源５２から切替開閉器３Ｄに流れていないと電流検出器４によって判断された場合（Ｓ２１でＮｏ）、充放電器側制御部２８、第１リレー制御部３７及び第２リレー制御部４０は、停電を検知する（Ｓ２２）。第１リレー制御部３７は、第１切替リレー３４をオンの状態からオフの状態に変化させる（Ｓ２３）。第２補助リレー検出部２９は、第２切替リレー３５がオフの状態であることを検出する（Ｓ２４）。
【００７４】
充放電器側制御部２８は、停電が発生したことを表示器５３に伝達する（Ｓ２５）。具体的には、充放電器側制御部２８は、停電が発生したことを示す情報を表示器５３に出力する。表示器５３は、停電が発生したことを示す情報を表示する。その際、表示器５３は、充放電システム１Ｄに自立運転を行わせることをユーザに促す情報も表示する。例えば、表示器５３は、「停電が発生しました。自立運転を開始させてください。」という文字列を表示する。
【００７５】
ユーザは、表示器５３が表示する情報によって停電が発生したことを認識し、充放電システム１Ｄに自立運転を開始させる指示を表示器５３に入力する。例えば、充放電システム１Ｄに自立運転を開始させる指示に対応するボタンが表示器５３に設けられており、ユーザは、当該ボタンを押すことにより当該指示を表示器５３に入力する。当該ボタンは、機械的なボタンであってもよいし、表示器５３によって表示される画像のボタンであってもよい。当該指示は、自立運転指示である。表示器５３は、自立運転指示を受け付け、自立運転指示を充放電器側制御部２８に出力する。充放電器側制御部２８は、自立運転指示を受け取る（Ｓ２６）。すなわち、充放電器側制御部２８は、ステップＳ２６において、充放電システム１Ｄに自立運転を開始させる指示を受け取る。
【００７６】
充放電器側制御部２８は、系統リレー２６をオンの状態からオフの状態に変化させ、自立リレー２７をオフの状態からオンの状態に変化させる（Ｓ２７）。充放電システム１Ｄは、自立運転を開始する（Ｓ２８）。つまり、ステップＳ２８において、充放電器側制御部２８の制御によって、電力変換部２２のコンバータ２３は蓄電池５１から供給される直流電力における直流電圧について昇圧し、電力変換部２２のインバータ２４はコンバータ２３によって得られる直流電力を交流電力に変換する。
【００７７】
第２リレー制御部４０は、第２切替リレー３５をオフの状態からオンの状態に変化させる（Ｓ２９）。第２補助リレー検出部２９は、第２切替リレー３５がオンの状態であることを検出する（Ｓ３０）。電流検出器４は、電流が系統電源５２から切替開閉器３Ｄに流れているか否かを判断する（Ｓ３１）。電流が系統電源５２から切替開閉器３Ｄに流れていないと電流検出器４によって判断された場合（Ｓ３１でＮｏ）、ステップＳ３１の動作が再度行われる。
【００７８】
電流が系統電源５２から切替開閉器３Ｄに流れていると電流検出器４によって判断された場合（Ｓ３１でＹｅｓ）、充放電器側制御部２８、第１リレー制御部３７及び第２リレー制御部４０は、復電を検知する（Ｓ３２）。つまり、ステップＳ３２において、充放電器側制御部２８、第１リレー制御部３７及び第２リレー制御部４０は、停電が解消したことを検知する。
【００７９】
充放電器側制御部２８は、復電したことを表示器５３に伝達する（Ｓ３３）。具体的には、充放電器側制御部２８は、復電したことを示す情報を表示器５３に出力する。表示器５３は、復電したことを示す情報を表示する。ユーザは、表示器５３が表示する情報によって復電したことを認識し、充放電システム１Ｄに自立運転を停止させる指示を入力する。表示器５３は、当該指示を受け付け、当該指示を充放電器側制御部２８に出力する。充放電器側制御部２８は、充放電システム１Ｄに自立運転を停止させる指示を受け取る（Ｓ３４）。
【００８０】
充放電システム１Ｄは、自立運転を停止する（Ｓ３５）。すなわち、充放電器側制御部２８の制御によって、電力変換部２２のコンバータ２３及びインバータ２４はステップＳ２８の動作を停止する。第１リレー制御部３７は、第１切替リレー３４をオフの状態からオンの状態に変化させ、第２リレー制御部４０は第２切替リレー３５をオンの状態からオフの状態に変化させる（Ｓ３６）。
【００８１】
第２補助リレー検出部２９は、第２切替リレー３５がオフの状態であることを検出する（Ｓ３７）。充放電器側制御部２８は、系統リレー２６をオフの状態からオンの状態に変化させ、自立リレー２７をオンの状態からオフの状態に変化させる（Ｓ３８）。充放電システム１Ｄは、系統連系運転を行う（Ｓ３９）。
【００８２】
上述の通り、実施の形態２にかかる充放電システム１Ｄにおいて、切替開閉器３Ｄは第２切替リレー３５と連動する第２補助リレー４２を有し、充放電器２Ｄは第２補助リレー４２の状態を検出する第２補助リレー検出部２９を有する。そのため、充放電システム１Ｄは、待機時間を必要とすることなく、第２補助リレー検出部２９によって得られる検出結果をもとに自立運転を行うことができる。更に言うと、実施の形態１では待機時間が設定されているのに対し、実施の形態２では待機時間が設定されていないので、系統電源５２において停電が発生した場合、充放電システム１Ｄは、実施の形態１にかかる充放電システム１より早く、電力を負荷５４に供給することができる。
【００８３】
なお、充放電システム１Ｄが有する電流検出器４は、図６及び図７において示される位置に配置されてもよい。すなわち、電流検出器４が配置される位置は限定されない。
【００８４】
図１１は、実施の形態２の変形例にかかる充放電システム１Ｅの構成を示す図である。図９が示す充放電システム１Ｄでは、充放電器２Ｄの筐体は切替開閉器３Ｄの筐体と異なる。図１１が示す充放電システム１Ｅは、充放電器２Ｄが有するすべての構成要素と切替開閉器３Ｄとを含む充放電器２Ｅを有する。つまり、切替開閉器３Ｄは、充放電器２Ｅの内部に配置されている。このように、充放電システム１Ｄの充放電器２Ｄと切替開閉器３Ｄとはひとつの筐体の内部に配置されて一体化されてもよい。電流検出器４は、当該ひとつの筐体の内部において、図６又は図７において示される位置に配置されてもよい。電流検出器４は、当該ひとつの筐体の内部に配置されなくてもよい。
【００８５】
実施の形態３．
次に、実施の形態３にかかる充放電システム１Ｆを説明する。図１２は、実施の形態３にかかる充放電システム１Ｆの構成を示す図である。充放電システム１Ｆは、充放電器２Ｆと、切替開閉器３Ｆとを有する。充放電器２Ｆは、実施の形態２にかかる充放電システム１Ｄの充放電器２Ｄが有するすべての構成要素と、第１補助リレー検出部８５とを有する。切替開閉器３Ｆは、充放電システム１Ｄの切替開閉器３Ｄが有するすべての構成要素と、第１補助リレー４３とを有する。実施の形態３では、実施の形態２との相違点を主に説明する。
【００８６】
切替開閉器３Ｆが有する第１補助リレー４３は、第１切替リレー３４と連動するリレーである。具体的には、第１補助リレー４３の状態は、第１切替リレー３４の状態と同じである。第１補助リレー４３の一方の端部は、配線８６によって、充放電器２Ｆのグランドに接続されている。第１補助リレー４３の他方の端部は、配線８７によって、充放電器２Ｆが有する第１補助リレー検出部８５に接続されている。配線８７は充放電器２Ｆの内部に接続部位８８を有し、抵抗８９が接続部位８８に接続されている。抵抗８９には５Ｖの電圧の電源が接続されている。当該電圧は、５Ｖに限定されない。
【００８７】
充放電器２Ｆが有する第１補助リレー検出部８５は、第１補助リレー４３の状態を検出する。具体的には、上述の通り抵抗８９が接続部位８８に接続されていて抵抗８９には５Ｖの電圧の電源が接続されているので、第１補助リレー検出部８５は、第１補助リレー４３がオフの状態である場合に相対的に高い電圧を検出し、第１補助リレー４３がオンの状態である場合に相対的に低い電圧を検出する。第１補助リレー検出部８５は、検出した電圧の値をもとに第１補助リレー４３の状態を検出する。
【００８８】
第１補助リレー検出部８５は、充放電器側制御部２８に接続されている。電流検出器４が電流を検出する状態から電流検出器４が電流を検出しない状態に変化した場合、充放電器側制御部２８は、第１補助リレー検出部８５によって得られる検出結果も用いて、系統リレー２６及び自立リレー２７を制御する。
【００８９】
上述の通り、第１補助リレー４３は第１切替リレー３４と連動し、第１補助リレー検出部８５は第１補助リレー４３の状態を検出する。充放電器側制御部２８は、第１補助リレー検出部８５によって得られる検出結果をもとに、第１切替リレー３４の状態を把握することができる。
【００９０】
そのため、実施の形態３にかかる充放電システム１Ｆは、第１補助リレー検出部８５によって得られる検出結果をもとに、系統電源５２における停電が解消した場合、待機時間を必要とすることなく系統連系運転を行うことができる。つまり、実施の形態３では待機時間は設定されていないので、系統電源５２における停電が解消した場合、充放電システム１Ｆは、より早く系統連系運転を行うことができる。更に言うと、系統電源５２における停電が解消した場合、充放電システム１Ｆは、蓄電池５１が蓄えている電力の消耗を抑制することができる。
【００９１】
次に、実施の形態３にかかる充放電システム１Ｆの動作の例を説明する。図１３は、実施の形態３にかかる充放電システム１Ｆの動作の手順の例を示すフローチャートである。以下では、説明の便宜上、充放電システム１Ｆが系統連系運転を行っている状態以降の充放電システム１Ｆの動作の例を説明する。電流検出器４は、電流が系統電源５２から切替開閉器３Ｆに流れているか否かを判断する（Ｓ４１）。電流が系統電源５２から切替開閉器３Ｆに流れていると電流検出器４によって判断された場合（Ｓ４１でＹｅｓ）、充放電システム１Ｆは系統連系運転を行うことを継続する。図１３では、充放電システム１Ｆが系統連系運転を行うことを継続する場合、充放電システム１Ｆの動作は終了すると表現されている。
【００９２】
電流が系統電源５２から切替開閉器３Ｆに流れていないと電流検出器４によって判断された場合（Ｓ４１でＮｏ）、充放電器側制御部２８、第１リレー制御部３７及び第２リレー制御部４０は、停電を検知する（Ｓ４２）。第１リレー制御部３７は、第１切替リレー３４をオンの状態からオフの状態に変化させる（Ｓ４３）。第１補助リレー検出部８５は、第１切替リレー３４がオフの状態であることを検出し、第２補助リレー検出部２９は、第２切替リレー３５がオフの状態であることを検出する（Ｓ４４）。
【００９３】
充放電器側制御部２８は、停電が発生したことを表示器５３に伝達する（Ｓ４５）。具体的には、充放電器側制御部２８は、停電が発生したことを示す情報を表示器５３に出力する。表示器５３は、停電が発生したことを示す情報を表示する。その際、表示器５３は、充放電システム１Ｆに自立運転を行わせることをユーザに促す情報も表示する。例えば、表示器５３は、「停電が発生しました。自立運転を開始させてください。」という文字列を表示する。
【００９４】
ユーザは、表示器５３が表示する情報によって停電が発生したことを認識し、充放電システム１Ｆに自立運転を開始させる指示を表示器５３に入力する。例えば、充放電システム１Ｆに自立運転を開始させる指示に対応するボタンが表示器５３に設けられており、ユーザは、当該ボタンを押すことにより当該指示を表示器５３に入力する。当該ボタンは、機械的なボタンであってもよいし、表示器５３によって表示される画像のボタンであってもよい。当該指示は、自立運転指示である。表示器５３は、自立運転指示を受け付け、自立運転指示を充放電器側制御部２８に出力する。充放電器側制御部２８は、自立運転指示を受け取る（Ｓ４６）。すなわち、充放電器側制御部２８は、ステップＳ４６において、充放電システム１Ｆに自立運転を開始させる指示を受け取る。
【００９５】
充放電器側制御部２８は、系統リレー２６をオンの状態からオフの状態に変化させ、自立リレー２７をオフの状態からオンの状態に変化させる（Ｓ４７）。充放電システム１Ｆは、自立運転を開始する（Ｓ４８）。つまり、ステップＳ４８において、充放電器側制御部２８の制御によって、電力変換部２２のコンバータ２３は蓄電池５１から供給される直流電力における直流電圧について昇圧し、電力変換部２２のインバータ２４はコンバータ２３によって得られる直流電力を交流電力に変換する。
【００９６】
第２リレー制御部４０は、第２切替リレー３５をオフの状態からオンの状態に変化させる（Ｓ４９）。第１補助リレー検出部８５は、第１切替リレー３４がオフの状態であることを検出し、第２補助リレー検出部２９は、第２切替リレー３５がオンの状態であることを検出する（Ｓ５０）。電流検出器４は、電流が系統電源５２から切替開閉器３Ｆに流れているか否かを判断する（Ｓ５１）。電流が系統電源５２から切替開閉器３Ｆに流れていないと電流検出器４によって判断された場合（Ｓ５１でＮｏ）、ステップＳ５１の動作が再度行われる。
【００９７】
電流が系統電源５２から切替開閉器３Ｆに流れていると電流検出器４によって判断された場合（Ｓ５１でＹｅｓ）、充放電器側制御部２８、第１リレー制御部３７及び第２リレー制御部４０は、復電を検知する（Ｓ５２）。つまり、ステップＳ５２において、充放電器側制御部２８、第１リレー制御部３７及び第２リレー制御部４０は、停電が解消したことを検知する。
【００９８】
充放電器側制御部２８は、復電したことを表示器５３に伝達する（Ｓ５３）。具体的には、充放電器側制御部２８は、復電したことを示す情報を表示器５３に出力する。表示器５３は、復電したことを示す情報を表示する。ユーザは、表示器５３が表示する情報によって復電したことを認識し、充放電システム１Ｆに自立運転を停止させる指示を入力する。表示器５３は、当該指示を受け付け、当該指示を充放電器側制御部２８に出力する。充放電器側制御部２８は、充放電システム１Ｆに自立運転を停止させる指示を受け取る（Ｓ５４）。
【００９９】
充放電システム１Ｆは、自立運転を停止する（Ｓ５５）。すなわち、充放電器側制御部２８の制御によって、電力変換部２２のコンバータ２３及びインバータ２４はステップＳ４８の動作を停止する。第１リレー制御部３７は、第１切替リレー３４をオフの状態からオンの状態に変化させ、第２リレー制御部４０は第２切替リレー３５をオンの状態からオフの状態に変化させる（Ｓ５６）。
【０１００】
第１補助リレー検出部８５は、第１切替リレー３４がオンの状態であることを検出し、第２補助リレー検出部２９は、第２切替リレー３５がオフの状態であることを検出する（Ｓ５７）。充放電器側制御部２８は、系統リレー２６をオフの状態からオンの状態に変化させ、自立リレー２７をオンの状態からオフの状態に変化させる（Ｓ５８）。充放電システム１Ｆは、系統連系運転を行う（Ｓ５９）。
【０１０１】
上述の通り、実施の形態３にかかる充放電システム１Ｆにおいて、切替開閉器３Ｆは第１切替リレー３４と連動する第１補助リレー４３を有し、充放電器２Ｆは第１補助リレー４３の状態を検出する第１補助リレー検出部８５を有する。そのため、充放電システム１Ｆは、第１補助リレー検出部８５によって得られる検出結果をもとに、系統電源５２における停電が解消した場合、待機時間を必要とすることなく系統連系運転を行うことができる。更に言うと、実施の形態３では待機時間は設定されていないので、系統電源５２における停電が解消した場合、充放電システム１Ｆは、より早く系統連系運転を行うことができる。
【０１０２】
なお、充放電システム１Ｆが有する電流検出器４は、図６及び図７において示される位置に配置されてもよい。すなわち、電流検出器４が配置される位置は限定されない。
【０１０３】
図１４は、実施の形態３の変形例にかかる充放電システム１Ｇの構成を示す図である。図１２が示す充放電システム１Ｆでは、充放電器２Ｆの筐体は切替開閉器３Ｆの筐体と異なる。図１４が示す充放電システム１Ｇは、充放電器２Ｆが有するすべての構成要素と切替開閉器３Ｆとを含む充放電器２Ｇを有する。つまり、切替開閉器３Ｆは、充放電器２Ｇの内部に配置されている。このように、充放電システム１Ｆの充放電器２Ｆと切替開閉器３Ｆとはひとつの筐体の内部に配置されて一体化されてもよい。電流検出器４は、当該ひとつの筐体の内部において、図６又は図７において示される位置に配置されてもよい。電流検出器４は、当該ひとつの筐体の内部に配置されなくてもよい。
【０１０４】
図１５は、実施の形態１にかかる充放電システム１の充放電器２が有する充放電器側制御部２８の一部又は全部がプロセッサ９１によって実現される場合のプロセッサ９１を示す図である。つまり、充放電器側制御部２８の一部又は全部の機能は、メモリ９２に格納されるプログラムを実行するプロセッサ９１によって実現されてもよい。プロセッサ９１は、ＣＰＵ（Central  Processing  Unit）、処理装置、演算装置、マイクロプロセッサ、又はＤＳＰ（Digital  Signal  Processor）である。図１５には、メモリ９２も示されている。
【０１０５】
充放電器側制御部２８の一部又は全部の機能がプロセッサ９１によって実現される場合、当該一部又は全部の機能は、プロセッサ９１と、ソフトウェア、ファームウェア、又は、ソフトウェア及びファームウェアとの組み合わせにより実現される。ソフトウェア又はファームウェアはプログラムとして記述され、メモリ９２に格納される。プロセッサ９１は、メモリ９２に記憶されたプログラムを読み出して実行することにより、充放電器側制御部２８の一部又は全部の機能を実現する。
【０１０６】
充放電器側制御部２８の一部又は全部の機能がプロセッサ９１によって実現される場合、充放電器２は、充放電器側制御部２８によって実行されるステップの一部又は全部が結果的に実行されることになるプログラムを格納するためのメモリ９２を有する。メモリ９２に格納されるプログラムは、充放電器側制御部２８が実行する手順又は方法の一部又は全部をコンピュータに実行させるものであるともいえる。
【０１０７】
メモリ９２は、例えば、ＲＡＭ（Random  Access  Memory）、ＲＯＭ（Read  Only  Memory）、フラッシュメモリ、ＥＰＲＯＭ（Erasable  Programmable  Read  Only  Memory）、ＥＥＰＲＯＭ（登録商標）（Electrically  Erasable  Programmable  Read-Only  Memory）等の不揮発性もしくは揮発性の半導体メモリ、磁気ディスク、フレキシブルディスク、光ディスク、コンパクトディスク、ミニディスク又はＤＶＤ（Digital  Versatile  Disk）等である。
【０１０８】
図１６は、実施の形態１にかかる充放電システム１の充放電器２が有する充放電器側制御部２８の一部又は全部が処理回路９３によって実現される場合の処理回路９３を示す図である。つまり、充放電器側制御部２８の一部又は全部は、処理回路９３によって実現されてもよい。
【０１０９】
処理回路９３は、専用のハードウェアである。処理回路９３は、例えば、単一回路、複合回路、プログラム化されたプロセッサ、並列プログラム化されたプロセッサ、ＡＳＩＣ(Application  Specific  Integrated  Circuit)、ＦＰＧＡ（Field-Programmable  Gate  Array）、又はこれらを組み合わせたものである。
【０１１０】
充放電器側制御部２８の一部は、残部とは別個の専用のハードウェアであってもよい。
【０１１１】
充放電器側制御部２８の複数の機能について、当該複数の機能の一部がソフトウェア又はファームウェアで実現され、当該複数の機能の残部が専用のハードウェアで実現されてもよい。このように、充放電器側制御部２８の複数の機能は、ハードウェア、ソフトウェア、ファームウェア、又はこれらの組み合わせによって実現することができる。
【０１１２】
実施の形態１にかかる充放電システム１の切替開閉器３が有する第１リレー制御部３７、第２リレー制御部４０及び自立出力検出部４１の少なくとも一部の機能は、メモリに格納されるプログラムを実行するプロセッサによって実現されてもよい。当該メモリは、第１リレー制御部３７、第２リレー制御部４０及び自立出力検出部４１によって実行されるステップの少なくとも一部が結果的に実行されることになるプログラムを格納するためのメモリであって、メモリ９２と同様のメモリである。当該プロセッサは、プロセッサ９１と同様のプロセッサである。第１リレー制御部３７、第２リレー制御部４０及び自立出力検出部４１の少なくとも一部の機能は、処理回路によって実現されてもよい。当該処理回路は、処理回路９３と同様の処理回路である。
【０１１３】
実施の形態２にかかる充放電システム１Ｄの充放電器２Ｄが有する充放電器側制御部２８及び第２補助リレー検出部２９の少なくとも一部の機能は、メモリに格納されるプログラムを実行するプロセッサによって実現されてもよい。当該メモリは、充放電器側制御部２８及び第２補助リレー検出部２９によって実行されるステップの少なくとも一部のステップが結果的に実行されることになるプログラムを格納するためのメモリであって、メモリ９２と同様のメモリである。当該プロセッサは、プロセッサ９１と同様のプロセッサである。充放電器側制御部２８及び第２補助リレー検出部２９の少なくとも一部の機能は、処理回路によって実現されてもよい。当該処理回路は、処理回路９３と同様の処理回路である。
【０１１４】
実施の形態３にかかる充放電システム１Ｆの充放電器２Ｆが有する充放電器側制御部２８、第２補助リレー検出部２９及び第１補助リレー検出部８５の少なくとも一部の機能は、メモリに格納されるプログラムを実行するプロセッサによって実現されてもよい。当該メモリは、充放電器側制御部２８、第２補助リレー検出部２９及び第１補助リレー検出部８５によって実行されるステップの少なくとも一部のステップが結果的に実行されることになるプログラムを格納するためのメモリであって、メモリ９２と同様のメモリである。当該プロセッサは、プロセッサ９１と同様のプロセッサである。充放電器側制御部２８、第２補助リレー検出部２９及び第１補助リレー検出部８５の少なくとも一部の機能は、処理回路によって実現されてもよい。当該処理回路は、処理回路９３と同様の処理回路である。
【０１１５】
以上の実施の形態に示した構成は、一例を示すものであり、別の公知の技術と組み合わせることも可能であるし、実施の形態同士を組み合わせることも可能であるし、要旨を逸脱しない範囲で、構成の一部を省略又は変更することも可能である。
【符号の説明】
【０１１６】
１，１Ａ，１Ｂ，１Ｃ，１Ｄ，１Ｅ，１Ｆ，１Ｇ  充放電システム、２，２Ｃ，２Ｄ，２Ｅ，２Ｆ，２Ｇ  充放電器、３，３Ｄ，３Ｆ  切替開閉器、４  電流検出器、５，６，８１，８２，８６，８７  配線、２１  系統連系端子、２２  電力変換部、２３  コンバータ、２４  インバータ、２５  自立出力端子、２６  系統リレー、２７  自立リレー、２８  充放電器側制御部、２９  第２補助リレー検出部、３１  系統入力端子、３２  電力出力端子、３３  自立入力端子、３４  第１切替リレー、３５  第２切替リレー、３６  第１内部配線、３７  第１リレー制御部、３８，８３，８８  接続部位、３９  第２内部配線、４０  第２リレー制御部、４１  自立出力検出部、４２  第２補助リレー、４３  第１補助リレー、５０  電気自動車、５１  蓄電池、５２  系統電源、５３  表示器、５４  負荷、８４，８９  抵抗、８５  第１補助リレー検出部、９１  プロセッサ、９２  メモリ、９３  処理回路。
【要約】
充放電システム（１）は、充放電器（２）と、切替開閉器（３）と、系統電源（５２）から切替開閉器（３）に流れる電流を検出する電流検出器（４）とを有する。充放電器（２）は、電力変換部（２２）と、系統連系端子（２１）と電力変換部（２２）とを接続するための系統リレー（２６）と、電力変換部（２２）と自立出力端子（２５）とを接続するための自立リレー（２７）と、充放電器側制御部（２８）とを有する。切替開閉器（３）は、系統入力端子（３１）と電力出力端子（３２）とを接続するための第１切替リレー（３４）と、自立入力端子（３３）と電力出力端子（３２）とを接続するための第２切替リレー（３５）と、電流検出器（４）によって得られる検出結果をもとに第１切替リレー（３４）を制御する第１リレー制御部（３７）と、第２切替リレー（３５）を制御する第２リレー制御部（４０）とを有する。【図１】
0006762456.tif 000002
【図２】
0006762456.tif 000003
【図３】
0006762456.tif 000004
【図４】
0006762456.tif 000005
【図５】
0006762456.tif 000006
【図６】
0006762456.tif 000007
【図７】
0006762456.tif 000008
【図８】
0006762456.tif 000009
【図９】
0006762456.tif 000010
【図１０】
0006762456.tif 000011
【図１１】
0006762456.tif 000012
【図１２】
0006762456.tif 000013
【図１３】
0006762456.tif 000014
【図１４】
0006762456.tif 000015
【図１５】
0006762456.tif 000016
【図１６】
0006762456.tif 000017